(57)【要約】【課題】円柱状タワー等の建造物の外壁に沿って構築される環状足場床のような曲折する足場床に関して取付けられる足場用手摺を提供する。【解決手段】隣り合う一対の支柱の間に配置される水平材と、該水平材の両端部に枢軸を介して回動自在に枢結されると共に前記水平材の下方で相互に交差させられる一対の斜材とから成り、前記斜材から枢軸を超えて延設された延長部に設けた上部係止機構を上側フランジの楔孔に係止し、該斜材の下端部に設けた下部係止機構を下側フランジの楔孔に係止する構成とされており、同一支柱に臨む上部係止機構(31)と下部係止機構(32)は、上側フランジ(22a)の楔孔(25)と下側フランジ(22b)の楔孔(25)を通過する軸線(V)に対し同軸に配置される上部軸部材(37)と下部軸部材(47)を備え、上部軸部材と下部軸部材を前記楔孔に対して前記軸線廻りに回動自在に軸着するように構成されている。【選択図】図７
2014080799.tif 000002
【特許請求の範囲】
【請求項１】
支柱に架設された足場板の側部に沿って設けられる手摺であり、楔孔を有するフランジを上下に配置した支柱に対して、隣り合う一対の支柱の間に配置される水平材と、該水平材の両端部に枢軸を介して回動自在に枢結されると共に前記水平材の下方で相互に交差させられる一対の斜材とから成り、前記斜材から枢軸を超えて延設された延長部に設けた上部係止機構を上側フランジの楔孔に係止し、該斜材の下端部に設けた下部係止機構を下側フランジの楔孔に係止する構成において、
上部係止機構(31)と下部係止機構(32)は、それぞれ、上側フランジ(22a)の楔孔(25)と下側フランジ(22b)の楔孔(25)に対して回動自在に軸着される上部軸部材(37)と下部軸部材(47)を備えて成ることを特徴とする足場用手摺。
【請求項２】
同一支柱に臨む上部係止機構(31)と下部係止機構(32)における上部軸部材(37)と下部軸部材(47)は、それぞれが臨む上側フランジ(22a)の楔孔(25)と下側フランジ(22b)の楔孔(25)を通過する軸線(V)に関して、相互に同軸に配置されて成ることを特徴とする請求項１に記載の足場用手摺。
【請求項３】
上部係止機構(31)は、水平材の下方で一対の斜材を交差させたとき、前記枢軸を介して斜材の延長部と一体に回動することにより上側フランジの楔孔に対して上から下に向けて挿通され、該楔孔に回動自在に軸支される上部軸部材(37)により構成し、
下部係止機構(32)は、水平材の下方で一対の斜材を交差させたとき、下側フランジの上下面に臨む上顎部(42)及び下顎部(43)と、上下顎部の間に下側フランジを挿入した状態で一方の顎部から他方の顎部に挿脱自在に挿着され、該楔孔に回動自在に軸支される下部軸部材(47)により構成して成ることを特徴とする請求項１又は２に記載の足場用手摺。
【請求項４】
下部係止機構(32)は、相互に同軸に配置される上筒部材(45)と下筒部材(46)をそれぞれ上顎部(42)と下顎部(43)に設け、一方の筒部材から他方の筒部材に向けて下部軸部材(47)を進退自在に挿入すると共に、該下部軸部材を前記挿入方向に弾発付勢するスプリング(48)を設けて成ることを特徴とする請求項３に記載の足場用手摺。
【発明の詳細な説明】
【技術分野】
【０００１】
本発明は、建設現場等に構築される仮設足場における手摺であり、特に、円柱状タワー等の建造物の外壁に沿って構築される環状足場床のような曲折する足場床に対し、先行手摺として好適に取付可能とした足場用手摺に関する。
【背景技術】
【０００２】
従来、建設現場等における仮設足場の構築に関して、作業者の安全のため、手摺先行工法が推奨されている。楔緊結式の仮設足場の場合、支柱は、楔孔を有するフランジを上下に配置しており、先行手摺を前記フランジに取付けるように構成している。このような先行手摺は、隣り合う一対の支柱の間に配置される水平材と、該水平材の両端部に枢軸を介して回動自在に枢結されると共に前記水平材の下方で相互に交差させられる一対の斜材とから成り、前記斜材の上端部に設けた上部係止手段を一方の支柱の上側フランジに係止し、該斜材の下端部に設けた下部固着手段を他方の支柱の下側フランジに固着するように構成されている。
【先行技術文献】
【特許文献】
【０００３】
【特許文献１】特開２０１０−２２９７００号公報
【特許文献２】特開２０１２−１３２１５７号公報
【発明の概要】
【発明が解決しようとする課題】
【０００４】
本出願人が提案した上記特許文献２に記載の先行手摺は、図９ないし図１２に示すような基本的構成を備えている。
【０００５】
図９及び図１０は、楔緊結式の仮設足場を示しており、各支柱１は、上下に所定間隔をあけてフランジ２を固設しており、横架材を介して支柱間に足場板３を架設することにより作業床を形成する。手摺４は、先行手摺とされ、手摺先行工法に基づいて、上層の作業床を設置する前に、下層の作業床の上で作業者が上層の手摺４を取付け、その後、上層の作業床を設置し、同様の作業を下層から上層に向けて繰り返すことにより、各層の作業床の桁側に取付けられる。
【０００６】
手摺４は、隣り合う一対の支柱１、１の間にほぼ水平に配置される水平材５と、該水平材５の両端部に枢軸６を介して回動自在に枢結され、相互に交差した状態で取付けられる一対の斜材７、７により構成されており、各斜材７は、上端部から前記枢軸６を超えて延設された延長部８に上部係止機構９を設け、下端部に下部固着機構１０を設けている。
【０００７】
図１０及び図１１に示すように、上部係止機構９は、前記延長部８に設けられた軸部材１２から成り、前記枢軸６を介して斜材７を回動させ、前記延長部８を下向きに回動することにより、軸部材１２を上側フランジ２ａの上方から楔孔１１に進入係止するように構成している。
【０００８】
下部固着機構１０は、斜材７の下端部に固設された顎金具１３から成り、該顎金具１３の上顎１４から下顎１５に向けて挿脱自在に挿入される楔部材１６を設けており、楔部材１６を後退した状態で上下顎１４、１５の間に下側フランジ２ｂを挿入させ、楔部材１６を下側フランジ２ｂの楔孔１１に打ち込むことにより、顎金具１３と下側フランジ２ｂを相互に緊結するように構成している。
【０００９】
この際、フランジ２の楔孔１１は、支柱１の中心から放射方向に延びる十文字状の４本の長孔を構成し、楔部材１６は、長孔形状の楔孔１１に楔結合されるように断面長方形に形成されている。
【００１０】
図１１に示す通常の足場構築体の場合、各支柱１は、横架材を緊結するための楔孔１１ｘの長手方向の指向線Ｐ１を足場板３の妻縁と平行に向け、手摺４を取付けるための楔孔１１の長手方向の指向線Ｐ２を足場板３の桁縁と平行に向けて設置される。従って、手摺４の延長方向（水平材５の軸線Ｌ）に関して、下部固着機構１０は、長孔形状の楔孔１１と、断面長方形の楔部材１６が相互に合致するので、楔部材１６を楔孔１１に打ち込み、緊結することが可能である。
【００１１】
しかしながら、後述する図１のような円柱状タワー等の建造物の外壁曲面に沿って構築される足場構築体の場合、環状作業床を支持する横架材を外壁曲面の放射方向に構築するため、図１２に示すように、各支柱１は、横架材を緊結するための楔孔１１ｘの長手方向の指向線Ｐ１を外壁曲面の中心に向けて設置される。その結果、手摺４を取付けるための楔孔１１の長手方向の指向線Ｐ２が足場板３の桁縁と非平行となるように偏位する。つまり、該楔孔１１の指向線Ｐ２と手摺４の延長方向（水平材５の軸線Ｌ）が相互に傾斜偏位する。このため、下部固着機構１０の楔部材１６を該楔孔１１に打ち込むことができないという問題を提起する。
【００１２】
上記問題を解決するためには、上述の楔孔１１の偏位した指向線Ｐ２に合致させるように楔部材１６の向きを設計した下部固着機構１０を設ければ良いが、足場構築を必要とされる円柱状タワー等の建造物は、大小様々であり、外壁曲面の曲率が現場により異なり、前記楔孔１１の指向線Ｐ２の偏位を一様としないから、現場毎に対応させた設計が必要となり、現実的でない。
【００１３】
更に、上述した従来の手摺４は、楔部材１６を設けた下部固着機構１０により、交差する斜材７、７の下端部を支柱１のフランジ２に完全固着状態となるように緊結する構成であるため、強風等で足場構築体が煽られて揺動することにより歪んだとき、支柱１に固着された斜材７の下端部が追従して揺動し、該斜材７の上端部に設けた上部係止機構９の軸部材１２をフランジ２の楔孔１１から脱出するおそれがある。或いは、足場構築体と共に斜材７、７が歪むことにより、上部係止機構９の軸部材１２もしくは下部固着機構１０の楔部材１６又はフランジ２ａ、２ｂを変形し破損するおそれがある。従って、このような観点からは、斜材７の下端部を支柱１のフランジ２に取付けるための手段は、従来のような楔緊結手段による完全固着ではなく、支柱１の揺動等の歪みを吸収可能とするように構成することが望ましい。
【課題を解決するための手段】
【００１４】
本発明は、上記課題を解決した足場用手摺を提供するものであり、その手段として構成したところは、支柱に架設された足場板の側部に沿って設けられる手摺であり、楔孔を有するフランジを上下に配置した支柱に対して、隣り合う一対の支柱の間に配置される水平材と、該水平材の両端部に枢軸を介して回動自在に枢結されると共に前記水平材の下方で相互に交差させられる一対の斜材とから成り、前記斜材から枢軸を超えて延設された延長部に設けた上部係止機構を上側フランジの楔孔に係止し、該斜材の下端部に設けた下部係止機構を下側フランジの楔孔に係止する構成において、上部係止機構と下部係止機構は、それぞれ、上側フランジの楔孔と下側フランジの楔孔に対して回動自在に軸着される上部軸部材と下部軸部材を備えて成る点にある。この際、同一支柱に臨む上部係止機構と下部係止機構における上部軸部材と下部軸部材は、それぞれが臨む上側フランジの楔孔と下側フランジの楔孔を通過する軸線Ｖに関して、相互に同軸に配置することが好ましい。
【００１５】
上部係止機構は、水平材の下方で一対の斜材を交差させたとき、前記枢軸を介して斜材の延長部と一体に回動することにより上側フランジの楔孔に対して上から下に向けて挿通され、該楔孔に回動自在に軸支される上部軸部材により構成することが好ましく、下部係止機構は、水平材の下方で一対の斜材を交差させたとき、下側フランジの上下面に臨む上顎部及び下顎部と、上下顎部の間に下側フランジを挿入した状態で一方の顎部から他方の顎部に挿脱自在に挿着され、該楔孔に回動自在に軸支される下部軸部材により構成することが好ましい。
【００１６】
更に、下部係止機構は、相互に同軸に配置される上筒部材と下筒部材をそれぞれ上顎部と下顎部に設け、一方の筒部材から他方の筒部材に向けて下部軸部材を進退自在に挿入すると共に、該下部軸部材を前記挿入方向に弾発付勢するスプリングを設けた構成とすることが好ましい。
【発明の効果】
【００１７】
本発明によれば、円柱状タワー等の建造物の外壁曲面に沿って構築される曲折した足場床において、足場板２４の桁側の側部に沿って手摺２６を取付ける際、上部係止機構３１及び下部係止機構３２をそれぞれ上側フランジ２２ａ及び下側フランジ２２ｂに対してほぼワンタッチの簡単な作業により好適に取付けることができる。
【００１８】
ところで、曲折した足場床を形成する足場構築体の支柱間に手摺２６を取付ける場合、手摺２６の延長方向（水平材２７の軸線Ｌ）と、楔孔２５の長手方向の指向線Ｐ２が相互に非平行となるように偏位するため、手摺２６の取付けが困難となるが、本発明によれば、上部係止機構３１と下部係止機構３２は、それぞれピン等から成る上部軸部材３７と下部軸部材４７により構成されているので、上側フランジ２２ａ及び下側フランジ２２ｂの楔孔２５、２５に好適に挿入し係止することが可能となる。
【００１９】
特に本発明によれば、上部軸部材３７と下部軸部材４７は、上側フランジ２２ａ及び下側フランジ２２ｂの楔孔２５、２５に挿入係止した状態で、上下の楔孔２５、２５を通過する鉛直方向の軸線Ｖに対して軸廻り方向に回動自在に軸着される構成であるから、足場構築体が強風等で煽られる等、交差する斜材２９、２９が歪みを生じる場合でも、上部軸部材３７と下部軸部材４７が自由に回動することにより歪みを吸収することが可能であり、これにより係止部分の離脱や、変形等による破損を好適に防止する。この際、請求項２に記載のように上部軸部材３７と下部軸部材４７を同軸に配置する構成とすれば、上部係止機構３１と下部係止機構３２が相互に歪曲するおそれがなく、斜材２９、２９を同一軸線廻りに容易に回動させ、上述のような歪みを好適に吸収することができる。
【図面の簡単な説明】
【００２０】
【図１】本発明の１実施形態に係る手摺に関して、環状タワー等の建造物の外壁に沿って構築される足場構築体に取付けた状態を示す平面図である。
【図２】本発明の１実施形態に係る手摺の取付状態を示す正面図である。
【図３】本発明の１実施形態における上部係止機構と下部係止機構の取付状態を拡大して示す正面図である。
【図４】上部係止機構の取付方法を示す拡大図である。
【図５】下部係止機構の取付方法を示す拡大図である。
【図６】上部係止機構と下部係止機構の取付方法を示す斜視図である。
【図７】上部係止機構と下部係止機構の取付状態の作用を示す斜視図である。
【図８】上部係止機構の別の実施形態を示しており、（Ａ）は第２実施形態を示す正面図、（Ｂ）は第３実施形態を示す正面図である。
【図９】従来技術に係る手摺の取付状態を示す正面図である。
【図１０】従来技術に係る手摺の取付方法を示す正面図である。
【図１１】従来技術に係る手摺を通常の足場構築体に取付ける方法を示す斜視図である。
【図１２】従来技術に係る手摺の問題点を説明する斜視図である。
【発明を実施するための形態】
【００２１】
以下図面に基づいて本発明の好ましい実施形態を詳述する。
【００２２】
図１は、円柱状タワー状の建造物の外壁曲面に沿って円環状の作業床を曲折状に形成したフランジ式楔緊結構造の仮設足場を例示している。図１及び図２に示すように、支柱２１は、上下に所定間隔をあけて金属板から成るフランジ２２を固設しており、建造物等の外壁に対する遠近方向（以下「妻方向」という）に所定間隔をあけて立設された一対の支柱２１、２１を１組として、建造物等の外壁に沿う方向（以下「桁方向」という）に所定間隔をあけて立設されている。この際、妻側の外側に位置する一対の支柱２１、２１の間隔Ｌ１と、妻側の内側に位置する一対の支柱２１、２１の間隔Ｌ２は、Ｌ２＜Ｌ１とされ、妻方向に隣り合う一対の支柱２１、２１の間に架設される横架材２３を前記円環の中心に対して放射方向に配置される。支柱２１と横架材２３は、相互に楔構造の緊結手段により固着されており、桁方向に隣り合う横架材２３、２３に足場板２４が搭載され、これにより作業床が形成される。
【００２３】
各支柱２１の各フランジ２２は、図６に示すように、支柱２１の中心から放射方向に延びる十文字状の４本の長孔から成る楔孔２５を形成しており、外壁曲面の放射方向の線上に位置する楔孔２５に横架材２３が楔緊結される（図１参照）。
【００２４】
足場板２４により形成される作業床は、下層から順に上層の作業床が構築され、それぞれの足場板２４から所定高さの範囲で桁側の空間を遮る手摺２６が取付けられる。これらの手摺２６は、手摺先行工法に基づいて、上層の作業床を形成する前に、下層の作業床から作業者が上層の手摺２６を取付け、その後、上層の作業床を形成し、同様の作業を下層から上層に向けて繰り返すことにより、各層の作業床の桁側に手摺２６が取付けられる。
【００２５】
図２及び図３に示すように、手摺２６は、隣り合う一対の支柱２１、２１の間にほぼ水平に配置される水平材２７と、該水平材２７の両端部に枢軸２８を介して回動自在に枢結され、相互に交差した状態で取付けられる一対の斜材２９、２９により構成されている。各斜材２９は、上端部から前記枢軸２８を超えて延設された延長部３０に上部係止機構３１を設け、下端部に下部係止機構３２を設けており、上部係止機構３１を支柱２１の上側フランジ２２ａの楔孔２５に係止し、下部係止機構３２を支柱２１の下側フランジ２２ｂに係止するように構成されている。尚、図示省略しているが、手摺２６の水平材２７は、外管と内管を摺動自在に嵌合することにより伸縮機構を構成し、上述したＬ２＜Ｌ１のように間隔を相違する支柱２１、２１に対して、自在に対応して取付可能となるように構成することが好ましい。
【００２６】
（上部係止機構）
前記水平材２７は、両端部に下向きのブラケット３３を延設し、該ブラケット３３に斜材２９を枢結している。斜材２９の延長部３０は、斜材２９の先端部を一体に延長することにより形成しても良いが、図示実施形態の場合、斜材２９と別体の板状の延長部材３４を該斜材２９の先端部に重ねて溶接又は嵌着等で固着一体化することにより構成されており、前記ブラケット３３と斜材２９の先端部の間に延長部材３４を挟んで重ね合わせた状態で枢軸２８により枢結している。
【００２７】
前記延長部材３４は、前記枢軸２８を超えて延長方向に延びるアーム部３５と、反対側に位置して前記延長方向に対してほぼ直角方向に向けて突出する突部３６を備えており、前記アーム部３５に設けた上部軸部材３７により上部係止機構３１を構成する。図示実施形態の場合、上部軸部材３７は、アーム部３５の切欠き部３８に嵌入した状態で溶接等により固着され、該アーム部３５に直交して突出する断面円形の軸部３７ａの下端に径大となる頭部３９を設けたピンにより構成されている。尚、頭部３９は、先端に向けて径小となるテーパ面を有することが好ましい。
【００２８】
前記斜材２９は、水平材２７の端部に垂れ下げた状態から、前記枢軸２８を介して回動することにより一対の斜材２９、２９を交差させたとき、前記延長部３０のアーム部３５を上向き姿勢から横向き姿勢とするように回動し、これに伴い上部係止機構３１を構成する上部軸部材３７を上側フランジ２２ａの楔孔２５に対して上から下に向けて挿入する。この際、図４に示すように、斜材２９を垂れ下げ姿勢とした状態で、突部３６がフランジ２２の周縁に当接することにより所定待機姿勢を保持する位置決め手段が構成されている。従って、この位置決めされた待機姿勢から斜材２９を回動させれば、上側軸部材３７が楔孔２５に好適に挿入され、作業を容易とする。
【００２９】
一対の斜材２９、２９を回動することにより交差させると、それぞれのアーム部３５、３５が上側フランジ２２ａ、２２ａに載置され、上部係止機構３１、３１を構成する上部軸部材３７、３７の軸部３７ａがそれぞれの楔孔２５の長手方向端部に当接又は近接するので、軸部３７ａと頭部３９の異径段部により形成された抜止め部４０が楔孔２５の下縁に係止し、該軸部３７ａを抜止め状に係止する。この状態において、断面円形とされた軸部３７ａは、楔孔２５に回動自在に軸着されている。
【００３０】
従って、上部係止機構３１、３１は、斜材２９、２９を回動させるだけのほぼワンタッチの作業で上側フランジ２２ａ、２２ａに対し、係止されると共に回動自在に軸着されるので、その状態で、斜材２９、２９の下端部の下部係止機構３２、３２を下側フランジ２２ｂ、２２ｂに係止すれば良い。
【００３１】
（下部係止機構）
図３及び図５に示すように、下部係止機構３２は、斜材２９の下端部に固着されたブラケット４１により、上顎部４２及び下顎部４３と、上下顎部４２、４３の間に位置して外側方に開口する口部４４を構成している。上顎部４２及び下顎部４３は、それぞれ相互に同軸に配置された上筒部４５と下筒部４６を溶接等により固着しており、上筒部４５から下筒部４６に向けて下部軸部材４７を進退自在に挿入すると共に、該下部軸部材４７を挿入方向に弾発付勢するスプリング４８を設けている。下部軸部材４７は、先端部を下筒部４６に挿入した状態で、断面円形とされた軸部４７ａが前記口部４４を横断するように構成されている。
【００３２】
図示実施形態の場合、図５に示すように、下部軸部材４７は、上筒部４５の頂端に固着した規制板４９の孔から挿出された上端部４７ｂにリング等の摘み片５０を設けており、該摘み片５０が規制板４９に当接することにより、下部軸部材４７の下動を阻止するストッパを構成している。スプリング４８は、上筒部４５の内部で下部軸部材４７に外挿されたコイルスプリングにより構成され、常時は下部軸部材４７を下動方向に付勢することにより、該下部軸部材４７の下端部を下筒部４６に挿入させているが、前記摘み片５０を把持することによりスプリング４８に抗して持ち上げると、下部軸部材４７の下端部を上筒部４５の内部に後退させ、口部４４を開放する。
【００３３】
従って、下部係止機構３２は、下部軸部材４７を持ち上げることにより口部４４を開放させた状態で、斜材２９を移動させることにより、前記口部４４に下側フランジ２２ｂを挿入した後、下部軸部材４７をスプリング４８により下動させると、軸部４７ａを下側フランジ２２ｂの楔孔２５に挿通すると共に、下端部を下筒部４６に挿入し、これにより下側フランジ２２ｂに係止される。この状態において、断面円形とされた軸部４７ａが楔孔２５に回動自在に軸着されている。
【００３４】
（上部軸部材と下部軸部材）
上記構成とした上部係止機構３１と下部係止機構３２は、それぞれ上側フランジ２２ａと下側フランジ２２ｂに係止した状態で、図６及び図７に示すように、鉛直方向の軸線Ｖに対して、上部軸部材３７と下部軸部材４７が同軸に配置されるように構成されている。
【００３５】
円柱状タワー等の建造物の外壁曲面に沿って構築される曲折した足場床において、足場板２４の桁側の側部に沿って手摺２６を取付ける際、図６に示すように、手摺２６の延長方向（水平材２７の軸線Ｌ）と、楔孔２５の長手方向の指向線Ｐ２が相互に非平行となるように偏位するが、本発明の上部係止機構３１と下部係止機構３２は、ピン等の上部軸部材３７と下部軸部材４７により構成されているので、上側フランジ２２ａ及び下側フランジ２２ｂの楔孔２５、２５に好適に挿入係止することができる。
【００３６】
そして、上部軸部材３７と下部軸部材４７は、上側フランジ２２ａ及び下側フランジ２２ｂの楔孔２５、２５に挿入係止した状態で、図７に示すように、上下の楔孔２５、２５を通過する鉛直方向の軸線Ｖに対して、それぞれの断面円形とされた軸部３７ａ、４７ａを軸廻り方向に回動自在に軸着されているので、足場構築体が強風等で煽られる等、交差する斜材２９、２９が歪みを生じる場合でも、上部軸部材３７と下部軸部材４７が自由に回動することにより歪みを吸収することが可能であり、これにより係止部分の離脱や、変形等による破損を好適に防止する。
【００３７】
（上部軸部材の別の実施形態）
図８（Ａ）は、上部係止機構３１の第２実施形態を示しており、上部軸部材３７は、丸棒材から成るピンにより構成され、断面円形とされた軸部３７ａの先端に折曲部３９ａを設け、該折曲部３９ａにより、上述した上側フランジ２２ａの楔孔２５の下縁に係止する抜止め部４０ａを構成している。
【００３８】
図８（Ｂ）は、上部係止機構３１の第３実施形態を示しており、上部軸部材３７は、丸棒材から成るピンにより構成され、断面円形とされた軸部３７ｂの先端にフック板３９ｂを固着し、該フック板３９ｂにより、上述した上側フランジ２２ａの楔孔２５の下縁に係止する抜止め部４０ｂを構成している。
【００３９】
図８（Ａ）及び図８（Ｂ）は、下部係止機構３２を省略しているが、それぞれ、上部係止機構３１を構成する軸部３７ａ、３７ｂに対して、下部係止機構３２の軸部４７ａが同軸となるように配置されている。その他、基本的構成は、図１ないし図７に基づいて上述した実施形態と同様である。
【符号の説明】
【００４０】
２１  支柱
２２  フランジ
２２ａ  上側フランジ
２２ｂ  下側フランジ
２３  横架材
２４  足場板
２５  楔孔
２６  手摺
２７  水平材
２８  枢軸
２９  斜材
３０  延長部
３１  上部係止機構
３２  下部係止機構
３３  ブラケット
３４  延長部材
３５  アーム部
３６  突部
３７  上部軸部材
３７ａ  軸部
３８  切欠き部
３９  頭部
３９ａ  折曲部
３９ｂ  フック板
４０、４０ａ、４０ｂ  抜止め部
４１  ブラケット
４２  上顎部
４３  下顎部
４４  口部
４５  上筒部
４６  下筒部
４７  下部軸部材
４７ａ  軸部
４７ｂ  上端部
４８  スプリング
４９  規制板
５０  摘み片
【図１】
2014080799.tif 000003
【図２】
2014080799.tif 000004
【図３】
2014080799.tif 000005
【図４】
2014080799.tif 000006
【図５】
2014080799.tif 000007
【図６】
2014080799.tif 000008
【図７】
2014080799.tif 000009
【図８】
2014080799.tif 000010
【図９】
2014080799.tif 000011
【図１０】
2014080799.tif 000012
【図１１】
2014080799.tif 000013
【図１２】
2014080799.tif 000014